(57)【要約】本発明は、油分離器を有する蒸気圧縮回路を有する熱伝達システムでの、ポリオールエステル系潤滑剤と、少なくとも一種のテトラフルオロプロペンと少なくとも一種のハイドロフルオロカーボンとを含む冷媒Ｆとを含む組成物の使用に関するものである。【特許請求の範囲】
【請求項１】
ポリオールエステルをベースにした潤滑剤と、少なくとも１種のテトラフルオロプロペンと少なくとも１種のハイドロフルオロカーボンとを含む冷媒流体Ｆとを含む組成物の、オイルセパレータを有する蒸気圧縮回路を有する熱伝達システムでの使用。
【請求項２】
ポリオールエステルが下記の式（Ｉ）に対応する請求項１に記載の使用：
Ｒ1［ＯＣ（Ｏ）Ｒ2］n        （Ｉ）
（ここで、
Ｒ１は直鎖または分枝鎖の炭化水素基で、必要に応じて少なくとも１つのヒドロキシル基で置換され、および／または−Ｏ−、−Ｎ−および−Ｓ−からなる群から選択される少なくとも１つのヘテロ原子を含んでいてもよく、
各Ｒ2は下記ｉ）〜iv）の群から互いに独立して選択され：
ｉ）  Ｈ
ii）脂肪族炭化水素基
iii）分岐鎖炭化水素基
iv）上記ii）および／またはiii）と、８〜１４個の炭素原子を有する志望属炭化水素基との混合物
ｎは少なくとも２の整数）
【請求項３】
ポリオールエステルがネオペンチルグリコール、グリセリン、トリメチロールプロパン、ペンタエリスリトール、ジペンタエリスリトール、トリペンタエリスリトールおよびこれらの混合物から成る群から選択されるポリオールから得られる請求項１に記載の使用。
【請求項４】
ポリオールエステルが少なくとも一種の５〜８個の炭素原子を有する分岐したカルボン酸から得られる請求項１または３に記載の使用。
【請求項５】
ポリオールエステルが下記で得られるポリ（ネオペンチルポリオール）のエステルである請求項１に記載の使用：
ｉ）下記式（Ｖ）を有するネオペンチルポリオール：
2019534936.tif 000023
（ここで、
各Ｒは互いに独立してＣＨ3、Ｃ2Ｈ5またはＣＨ2ＯＨを表し、
ｐは１から４の整数である）
を、酸触媒の存在下で、カルボキシル基とヒドロキシル基とのモル比を１：１以下にして、２〜１５個の炭素原子を有する少なくとも一種のモノカルボン酸はと反応させて、部分的にエステル化されたポリ（ネオペンチル）ポリオールの組成物を形成し、
ｉｉ）上記ｉ）で得られた部分的にエステル化されたポリ（ネオペンチル）ポリオール）を２〜１５個の炭素原子を有する他のカルボン酸と反応させてポリ（ネオペンチルポリオール）のエステルの組成物を形成する。
【請求項６】
ポリオールエステルが下記の式（ＶＩＩＩ）または（ＩＸ）の一つを有する請求項１に記載の使用：
2019534936.tif 000024
（ここで、
Ｒ7、Ｒ8、Ｒ9、Ｒ10、Ｒ11およびＲ12は互いに独立してＨまたはＣＨ3であり、
ａ、ｂ、ｃ、ｙ、ｘおよびｚは互いに独立して整数であり、
ａ＋ｘ、ｂ＋ｙおよびｃ＋ｚは互いに独立して１から２０の範囲の整数であり、
Ｒ13は、Ｒ14およびＲ15は互いに独立して脂肪族または分岐鎖アルキル基、アルケニル基、シクロアルキル、アリール、アルキルアリール、アリールアルキル、アリールシクロアルキル、アルキルシクロアルキルのアルキル、シクロアルキルアルキル、シクロアルキルアリール、アルキルシクロアルキルアリール、アルキルアリールシクロアルキル、アリールシクロアルキルアルキル、アリールアルキルシクロアルキル、シクロアルキルアルキルアリールおよびシクロアルキルアリールアルキルから選択され、
Ｒ13、Ｒ14およびＲ15は１〜１７個の炭素原子を有し、必要に応じて置換されていてもよい）
または
2019534936.tif 000025
（ここで、
各Ｒ17およびＲ18は互いに独立してＨまたはＣＨ3であり、
ｍおよびｎは互いに独立して整数であり、ｍ＋ｎは１〜１０の範囲の整数であり、
Ｒ16とＲ19は互いに独立して脂肪族または分枝鎖のアルキル、アルケニル、シクロアルキル、アリール、アルキルアリール、アリールアルキル、シクロアルキルアルキル、アリールシクロアルキル、アルキルシクロアルキル、シクロアルキルアリール、アルキルシクロアルキルアリール、アルキルアリールシクロアルキル、アリールシクロアルキルアルキル、アリールアルキルシクロアルキル、シクロアルキルアルキルアリールおよびシクロアルキルアリールアルキルからなる群から選択され、
Ｒ16およびＲ19は１〜１７個の炭素原子を有し、必要に応じて置換されていてもよい）
【請求項７】
冷媒Ｆが、ＨＦＯ−１２３４ｙｆおよびＨＦＯ−１２３４ｚｅから選択される少なくとも一種のテトラフルオロプロペンと、ジクロロメタン（ＨＦＣ３２）、ペンタフルオロエタン（ＨＦＣ−１２５）、１、１、２，２−テトラフルオロエタン（ＨＦＣ−１３４）、１、１、１、２−テトラフルオロエタン（ＨＦＣ−１３４ａ）、１，１ジフルオロエタン（ＨＦＣ−１５２ａ）、フルオロエタン（ＨＦＣ−１６１）、１、１、１、２，３，３，３−ヘプタフルオロプロパン（ＨＦＣ−２２７ｅａ）、１、１、１−トリフルオロプロパン（ＨＦＣ−２６３ｆｂ）およびこれらの混合物なる群より選択される少なくとも一種ハイドロフルオロカーボンとを含む請求項１〜６のいずれか一項に記載の使用。
【請求項８】
冷媒Ｆが下記の混合物の１つを含む請求項１〜７のいずれか一項に記載の使用：
ＨＦＯ−１２３４ｙｆとＨＦＣ−３２、
ＨＦＯ−１２３４ｙｆとＨＦＣ−１５２ａ、
ＨＦＯ−１２３４ｙｆとＨＦＣ−１３４ａ、
ＨＦＯ−１２３４ｙｆとＨＦＣ−１２５、
ＨＦＯ−１２３４ｚｅとＨＦＣ−３２、
ＨＦＯ−１２３４ｚｅとＨＦＣ−１５２ａ
ＨＦＯ−１２３４ｚｅとＨＦＣ−１３４ａ
ＨＦＯ−１２３４ｚｅとＨＦＣ−１２５
ＨＦＯ−１２３４ｙｆとＨＦＣ−３２とＨＦＣ−１２５
ＨＦＯ−１２３４ｙｆとＨＦＣ−１５２ａとＨＦＣ−１２５
ＨＦＯ−１２３４ｙｆとＨＦＣ−１５２ａとＨＦＣ−３２
ＨＦＯ−１２３４ｙｆとＨＦＣ−１３４ａとＨＦＣ−１５２ａ
ＨＦＯ−１２３４ｙｆとＨＦＣ−１３４ａとＨＦＣ−３２
ＨＦＯ−１２３４ｙｆとＨＦＣ−１３４ａとＨＦＣ−１２５
ＨＦＯ−１２３４ｚｅとＨＦＣ−１３４ａとＨＦＣ−１５２ａ
ＨＦＯ−１２３４ｚｅとＨＦＣ−１３４ａとＨＦＣ−３２
ＨＦＯ−１２３４ｚｅとＨＦＣ−１３４ａとＨＦＣ−１２５
ＨＦＯ−１２３４ｚｅとＨＦＣ−１５２ａとＨＦＣ−３２
ＨＦＯ−１２３４ｚｅとＨＦＣ−１５２ａとＨＦＣ−１２５
ＨＦＯ−１２３４ｚｅとＨＦＣ−３２とＨＦＣ−１２５
ＨＦＯ−１２３４ｙｆとＨＦＯ−１２３４ｚｅとＨＦＣ−１３４ａ
ＨＦＯ−１２３４ｙｆとＨＦＯ−１２３４ｚｅとＨＦＣ−１５２ａ
ＨＦＯ−１２３４ｙｆとＨＦＯ−１２３４ｚｅとＨＦＣ−１３４
ＨＦＯ−１２３４ｙｆとＨＦＯ−１２３４ｚｅとＨＦＣ−３２
ＨＦＯ−１２３４ｙｆとＨＦＯ−１２３４ｚｅとＨＦＣ−１２５
ＨＦＯ−１２３４ｙｆとＨＦＣ−１３４ａとＨＦＣ−１５２ａとＨＦＣ−３２
ＨＦＯ−１２３４ｙｆとＨＦＣ−１３４ａとＨＦＣ−１５２ａとＨＦＣ−１２５
ＨＦＯ−１２３４ｙｆとＨＦＯ−１２３４ｚｅとＨＦＣ−１３４ａとＨＦＣ−３２
ＨＦＯ−１２３４ｙｆとＨＦＯ−１２３４ｚｅとＨＦＣ−１３４ａとＨＦＣ−１５２ａ
ＨＦＯ−１２３４ｙｆとＨＦＯ−１２３４ｚｅとＨＦＣ−１３４ａとＨＦＣ−１２５
ＨＦＯ−１２３４ｚｅとＨＦＣ−１３４ａとＨＦＣ−１５２ａとＨＦＣ−３２
ＨＦＯ−１２３４ｚｅとＨＦＣ−１３４ａとＨＦＣ−１５２ａとＨＦＣ−１２５
ＨＦＯ−１２３４ｙｆとＨＦＣ−１３４ａとＨＦＣ−１５２ａとＨＦＣ−１２５とＨＦＣ−３２
ＨＦＯ−１２３４ｚｅとＨＦＣ−１３４ａとＨＦＣ−１５２ａとＨＦＣ−１２５とＨＦＣ−３２
【請求項９】
冷媒Ｆが７５．５〜７９．５重量％のＨＦＯ−１２３４ｙｆと、１２〜１６重量％のＨＦＣ−１５２ａと、６．５〜１０．５重量％のＨＦＣ−１３４ａとを含む請求項１〜８のいずれか一項に記載の使用。
【請求項１０】
冷媒Ｆが７７．５重量％（±０．２％）のＨＦＯ−１２３４ｙｆと、１４％（±０．２％）のＨＦＣ−１５２ａと、８．５重量％（±０．２％）のＨＦＣ−１３４ａとを含み、この組成物が０．５〜２１．０絶対バール（±０．５％）の圧力下で−４０，００℃〜７０．００℃の沸騰温度、特に７．３絶対バール（±０．５％）の圧力下で２６．９７℃（±０．５０℃）の沸点を有するでは共沸である請求項１〜９のいずれかに記載の使用。
【請求項１１】
熱伝達組成物としてポリオールエステルをベースにした潤滑剤と、少なくとも１種のテトラフルオロプロペンと少なくとも一種のハイドロフルオロカーボンとを含む冷媒流体Ｆとを含む組成物を収容した蒸気圧縮回路を有し、蒸気圧縮回路がオイル分離器を含むことを特徴とする熱伝達設備。
【請求項１２】
可動式または据付け型のヒートポンプ、空調、冷蔵、冷凍、コジェネレーションおよび熱機関の中から選択される請求項１１に記載の設置。
【請求項１３】
熱機関を用いて電気を発生する方法であって、この方法は熱伝達組成物の蒸発と、タービン中での熱伝達組成物の放圧による電気の生成と、熱伝達組成物の凝縮と、熱伝達組成物の圧縮とを順次有し、この方法は油分離器を使用し、熱伝達組成物はポリオールエステルをベースにした潤滑剤と、少なくとも一種のテトラフルオロプロペンと少なくとも一種のハイドロフルオロカーボンとを含む冷媒流体Ｆとを含むことを特徴とする方法。
【請求項１４】
熱伝達組成物を収容した蒸気圧縮回路によって流体または物品の加熱または冷却方法であって、この方法は熱伝達組成物の蒸発、熱伝達組成物の圧縮、熱伝達組成物の凝縮および熱伝達組成物の膨張を順次有し、上記圧縮回路はオイルセパレータを有し、熱伝達組成物はポリオールエステルをベースにした潤滑剤と、少なくとも１つのテトラフルオロプロペンと少なくとも一種のハイドロフルオロカーボンとを含む冷媒流体Ｆとを含むことを特徴とする方法。
【発明の詳細な説明】
【技術分野】
【０００１】
本発明は、テトラフルオロプロペンと少なくとも一種の潤滑剤とをベースにした組成物の冷凍、空調およびヒートポンプでの使用に関するものである。
【背景技術】
【０００２】
大気中のオゾン層を破壊する物質に関する問題がモントリオールで議論され、クロロフルオロカーボン（ＣＦＣ）の製造と使用を減らすための議定書が署名された。この議定書がさらに改正されてフロンの放棄とヒドロクロロフルオロカーボン（ＨＣＦＣ）を含む他の製品に対する規制が行なわれた。
【０００３】
冷媒および冷凍空調の業界はこれら冷媒の代替に多額の投資をしており、ハイドロフルオロカーボン（ＨＦＣ）が販売されている。
【０００４】
自動車業界では多くの国で車両の空調システムがクロロフルオロカーボン冷媒（ＣＦＣ−１２）からオゾン層に対して有害性の低いハイドロフルオロカーボン（１、１、１、２−テトラフルオロエタン：ＨＦＣ−１３４ａ）に移行した。しかし、このＨＦＣ−１３４ａ（ＧＷＰ＝１４３０）は京都議定書で規定された目標に対して地球温暖化係数が高いものと考えられている。流体の温室効果への寄与は二酸化炭素の場合を基準値１として加熱能力をまとめたＧＷＰ（地球温暖化係数）を基準にして定量化される。
【０００５】
ハイドロフルオロオレフィン（ＨＦＯ）は地球温暖化係数が低く、京都議定書で設定された目標を達成できるものとされている。
【０００６】
［特許文献１］（特開平４−１１０３８８号公報）には熱伝達材料としてのヒドロフルオロプロペンが開示されている。
【０００７】
工業的に最も一般的に使用されている冷凍機械は液体冷媒の蒸発による冷却をベースにしたものである、この流体は蒸発後に圧縮され、冷却に使用されて液体状態に戻り、このサイクルを繰り返す。
【０００８】
可動機械部品の円滑な運転を確保するため、特に、圧縮機の軸受を潤滑するために潤滑油は必須である。
【０００９】
潤滑剤（オイル）は圧縮機を通る毎に可動部品上に存在する冷媒と接触し、その一定量を取り去り、サイクル中に冷媒が潤滑剤を随伴して蒸発器中に運ぶ傾向がある。オイルのこの移行問題を克服するために、（圧縮機出口の）高圧部から低圧部（圧縮機入口）へ運ばれる潤滑剤をパージすることができるオイル分離システムを使用することは公知である。
【００１０】
ＰＯＥオイルは熱安定性に優れ、ＨＦＯ、特にＨＦＯ−１２３４との混和性に優れているので、冷凍および／またはエアコンなどの熱伝達システムで一般的に使用されている。
【００１１】
しかし、ＨＦＯ−１２３４はＰＯＥオイル中への溶解性が良いため、オイル分離器を有する熱伝動システムで比較的大量の冷媒がオイルに捕捉されるという問題が生じる。オイルをパージすると圧縮機出口で捕捉された冷媒がその入力側に直接戻ることになる。これは全ての冷媒が冷凍サイクルで使われないということであり、設備の効率がネットで損失することを意味し、しかも、圧縮機、特にオイルの量が少ないスクリュー圧縮機の潤滑不足にもなる。
【先行技術文献】
【特許文献】
【００１２】
【特許文献１】特開平４−１１０３８８号公報
【発明の概要】
【発明が解決しようとする課題】
【００１３】
従って、上記欠点の少なくとも一つを解決することができる新規な組成物を提供するというニーズがある。
【課題を解決するための手段】
【００１４】
本発明の対象は、ポリオールエステルをベースにした潤滑剤と、少なくとも１種のテトラフルオロプロペンと少なくとも一種のハイドロフルオロカーボンとを含む冷媒流体Ｆとを含む組成物の、オイル分離器を有する蒸気圧縮回路を有する熱伝達システムでの使用にある。
【００１５】
本明細書全体で、特に明記しない限り、化合物の割合は重量パーセントを表す。
【００１６】
本発明組成物はオイルセパレータ（油分離器）を有する伝熱システムの効率を向上させることができるという利点、特に、ハイドロフルオロカーボンを含まないＨＦＯ−１２３４／ＰＯＥオイルの組成物に対して効率を向上させることができるという利点がある。
【００１７】
本発明の組成物はさらに、ＨＦＯ−１２３４ｙｆ単独の場合に比べて、潤滑油をセパレータ中により多量に回収できるので、圧縮機潤滑油の劣化を低減させることができるという利点がある。
【００１８】
本明細書で「本発明組成物」という用語は、ポリオールエステルをベースにした潤滑剤と、少なくとも１種のテトラフルオロプロペンと少なくとも一種のハイドロフルオロカーボンとを含む冷媒流体Ｆとを含む組成物を意味する。
以下、本発明組成物中の種々の化合物とその比率を詳細に説明する。
【００１９】
冷媒
本発明の冷媒流体Ｆは、少なくとも一種のテトラフルオロプロペン（ＨＦＯ−１２３４）と、少なくとも１種のハイドロフルオロカーボンとを含む。
【００２０】
テトラフルオロプロペンの中では、１、３，３，３−テトラフルオロプロペン（ＨＦＯ−１２３４ｚｅ）、２，３，３，３−テトラフルオロプロペン（ＨＦＯ−１２３４ｙｆ）および１、２，３，３−テトラフルオロプロペン（ＨＦＯ−１２３４ｙｅ）を挙げることができる。
【００２１】
好ましいのはテトラフルオロプロペンＨＦＯ−１２３４ｙｆとＨＦＯ−１２３４ｚｅである。
【００２２】
本発明の冷媒流体Ｆは公知の任意の方法、例えば各成分を単に混合することで製造することができる。
【００２３】
本明細書で「ＨＦＯ−１２３４ｚｅ」はシス（Ｚ）またはトランス（Ｅ）とは無関係に１、３，３，３−トリフルオロプロペンを意味する。従って、
「ＨＦＯ−１２３４ｚｅ」という用語にはシスＨＦＯ−１２３４ｚｅ、トランスＨＦＯ−１２３４ｚｅ、および、これら２つの異性体の任意の比率の全ての混合物が含まれる。
【００２４】
本明細書で「ＨＦＯ−１２３４ｙｆ」は２，３，３，３−テトラフルオロプロペンを意味する。
【００２５】
本明細書で「ＨＦＯ−１２３４ｙｅ」は、シス（Ｚ）またはトランス（Ｅ）とは無関係に、１、２，３，３−テトラフルオロプロペンを意味する。従って、本明細書で「ＨＦＯ−１２３４ｙｅ」という用語はシスＨＦＯ−１２３４ｙｅ、トランスＨＦＯ−１２３４ｙｅおよび２つの異性体の任意の割合の全ての混合物をカバーする。
【００２６】
本発明の一つの実施形態では、ハイドロフルオロカーボンはジクロロメタン（ＨＦＣ−３２）、ペンタフルオロエタン（ＨＦＣ−１２５）、１、１、２，２−テトラフルオロエタン（ＨＦＣ−１３４）、１、１、１、２−テトラフルオロエタン（ＨＦＣ−１３４Ａ）、１，１−ジフルオロエタン（ＨＦＣ−１５２Ａ）、フルオロエタン（ＨＦＣ−１６１）、１、１、１、２，３，３，３−ヘプタフルオロプロパン（ＨＦＣ−２２７ｅａ）、１、１、１−トリフルオロプロパン（ＨＦＣ−２６３ｆｂ）およびこれらの混合物からなる群の中から選択される。
【００２７】
本発明の一つの実施形態では、本発明冷媒ＦはＨＦＯ−１２３４ｙｆおよびＨＦＯ−１２３４ｚｅから選択される少なくとも一種のテトラフルオロプロペン（ＨＦＯ−１２３４）と、ジクロロメタン（ＨＦＣ−３２）、ペンタフルオロエタン（ＨＦＣ−１２５）、１、１、２，２−テトラフルオロエタン（ＨＦＣ−１３４）、１、１、１、２−テトラフルオロエタン（ＨＦＣ−１３４Ａ）、１，１ジフルオロエタン（ＨＦＣ−１５２ａ）、フルオロエタン（ＨＦＣ−１６１）、１、１、１、２，３，３，３−ヘプタフルオロプロパン（ＨＦＣ−２２７ｅａ）、１、１、１−トリフルオロプロパン（ＨＦＣ−２６３ｆｂ）およびこれらの混合物からなる群から選択さる少なくとも１種のハイドロフルオロカーボンとを含む。
【００２８】
本発明の一つの実施形態では、冷媒Ｆは２つのテトラフルオロプロペン、特にＨＦＯ−１２３４ｙｆとＨＦＯ−１２３４ｚｅとを含む。
【００２９】
特定実施形態では、本発明冷媒Ｆは二元組成物（２つの熱伝達化合物からなる）、三元組成物（３つの熱伝達化合物からなる）、四元組成物（４つの熱伝達化合物からなる）または五元組成物（５つの熱伝達化合物からなる）である。
【００３０】
冷媒Ｆに不純物が存在していても、いなくてもよい。不純物が存在する場合、その量は１％以下、好ましくは０．５％以下、好ましくは０．１％以下、より好ましくは０．０５％以下、好ましくは０．０１％以下である。
【００３１】
本発明の一つの実施形態では、冷媒Ｆは基本的に二つ、三つ、四つまたは五つの熱伝達化合物から成る。
【００３２】
本発明の好ましい冷媒組成物Ｆは以下の混合物を含むか、好ましくは以下の混合物で構成される。
2019534936.tif 000002
【００３３】
本発明の好ましい冷媒組成物Ｆは以下の混合物を含むか、好ましくは以下の混合物で構成される。
2019534936.tif 000003
【００３４】
本発明の好ましい冷媒組成物Ｆは以下の混合物を含むか、好ましくは以下の混合物で構成される。
2019534936.tif 000004
【００３５】
本発明の好ましい冷媒組成物Ｆは以下の混合物を含むか、好ましくは以下の混合物で構成される。
2019534936.tif 000005
【００３６】
本発明の冷媒流体Ｆの中で、テトラフルオロプロペン、特にＨＦＯ−１２３４ｙｆおよび／またはＨＦＯ−１２３４ｚｅの質量割合は例えば流体の１〜５％または流体の５〜１０％または流体の１０〜１５％または流体の１５〜２０％または流体の２０〜２５％または流体の２５〜３０％または流体の３０〜３５％または流体の３５〜４０％または流体の４０〜４５％または流体の４５〜５０％または流体の５０〜５５％または流体の５５〜６０％または流体の６０〜６５％または流体の６５〜７０％または流体の７０〜７５％または流体の７５〜８０％または流体の８０〜８５％または流体の８５〜９０％または流体の９０〜９５％または流体の９５〜９９％または流体の９９〜９９．５％または流体の９９．５〜９９．９％または流体の全質量に対して流体の９９．９％以上にすることができる
【００３７】
冷媒Ｆ中のテトラフルオロプロペン、特にＨＦＯ−１２３４ｙｆおよび／またはＨＦＯ−１２３４ｚｅの含有量は上記の複数の範囲の間、例えば５０〜５５％と５５〜６０％の間の５０〜６０％にすることができる。
【００３８】
好ましい実施形態では、冷媒Ｆ中のテトラフルオロプロペン、特にＨＦＯ−１２３４ｙｆおよび／またはＨＦＯ−１２３４ｚｅの質量割合は７０％以上、好ましくは７０％〜９５％の間、特に７５％と９０％の間、特に７５％〜７８％の間である。
【００３９】
本発明の冷媒野中で、ハイドロフルオロカーボンの量比率は流体の１〜５％または流体の５〜１０％または流体の１０〜１５％または流体の１５〜２０％または流体の２０〜２５％または流体の２５〜３０％または流体の３０〜３５％または流体の３５〜４０％または流体の４０〜４５％または流体の４５〜５０％または流体の５０〜５５％または流体の５５〜６０％または流体の６０〜６５％または流体の６５〜７０％または流体の７０〜７５％または流体の７５〜８０％または流体の８０〜８５％または流体の８５〜９０％または流体の９０〜９５％または流体の９５〜９９％または流体の９９〜９９．５％または流体の全質量に対して流体の９９．５〜９９．９％にすることができる。また、冷媒Ｆ中のハイドロフルオロカーボンの含有量は上記の複数の範囲で変えることができ、例えば５０〜５５％と５５〜６０％から５０〜６０％にすることができる。
【００４０】
好ましい実施形態では、冷媒Ｆ中のハイドロフルオロカーボンの重量割合は流体の総重量に対して７０％以下、好ましくは５０％以下、好ましくは１０％〜３０％、特に１８％〜２７％である。
【００４１】
好ましい冷媒組成物Ｆは下記である。
2019534936.tif 000006
【００４２】
好ましい冷媒Ｆ流体は上記の表に記載の濃度で上記混合物を含むものである。
【００４３】
本発明の一つの実施形態で好ましい冷媒組成物は下記である：
ＨＦＯ−１２３４ｙｆとＨＦＣ−１３４ａ
ＨＦＯ−１２３４ｚｅとＨＦＣ−１３４ａ
ＨＦＯ−１２３４ｙｆとＨＦＣ−１５２ａとＨＦＣ−１３４ａ
【００４４】
本発明の一つの実施形態で好ましい冷媒は下記のものである：
ＨＦＯ−１２３４ｙｆとＨＦＣ−１３４ａ
ＨＦＯ−１２３４ｚｅとＨＦＣ−１３４ａ
ＨＦＯ−１２３４ｙｆとＨＦＣ−１５２ａとＨＦＣ−１３４ａ
【００４５】
好ましい実施形態では、冷媒Ｆは７５．５〜７９．５重量％のＨＦＯ−１２３４ｙｆと、１２〜１６重量％のＨＦＣ−１５２ａと、６．５〜１０．５重量％のＨＦＣ−１３４ａとを含む（好ましくは成る）。特に、冷媒Ｆは流体Ｆの総量に対して７７．５重量％のＨＦＯ−１２３４ｙｆと、１４重量％のＨＦＣ−１５２ａと、８．５重量％のＨＦＣ−１３４ａとを含む（好ましくは成る）。
【００４６】
好ましい実施形態では、冷媒Ｆは流体Ｆの総重量に対して７４〜８１．５重量％のＨＦＯ−１２３４ｙｆと、６．５〜１０．５重量のＨＦＣ−１３４ａと、１２〜１６重量％のＨＦＣ−１５２ａとを含む（好ましくは成る）。
【００４７】
共沸混合物か共沸様（近共沸）混合物であるか否は所定温度での液体と蒸気の飽和圧力から同定できる。
【００４８】
本願明細書で「蒸気飽和圧力」または「ＰSAT VAP」という用語は液体の一滴が最初に蒸気状態の流体を形成し始める圧力を意味する。この圧力はデュー圧力とも呼ばれる。
【００４９】
本願明細書で「液体飽和圧力」または「ＰSAT LIQ」という用語は蒸気のバブルが最初に液体状態の流体を形成し始める圧力をいう。この圧力は気泡圧力とも呼ばれる。
【００５０】
本願明細書で蒸気および液体の飽和蒸気圧から計算されるパーセントＲPは下記の式に対応する：
2019534936.tif 000007
【００５１】
本発明では、上記定義の比ＲPが０〜０．５％の間にある場合に混合物は共沸であるという。
【００５２】
本発明で「ＸとＹとの間」とは両端のＸおよびＹを含む。例えば「０と０．５０％との間」の範囲は値０と０．５％を含む。
【００５３】
本願明細書で、上記定義の比Ｒpが０．５％よりも厳密に大きく且つ１０．０％よりも厳密に小さい場合、その混合物は共沸様混合物である。
【００５４】
例えば、ＡＳＨＲＡＥ  ３４−２０１３の「冷媒の指定および安全分類」に従った規格では下記の表の混合物は共沸混合物として分類される。この規格では成分、組成および温度が同じ規格で示され、圧力はＲｅｆｒｏｐ  ９（参照流体特性）：冷媒の性質を計算するためにＮＩＳＴ（アメリカ国立標準技術研究所）によって開発されたソフトウェア）で計算される（Ｒpは２桁近似値）。
【００５５】
2019534936.tif 000008
【００５６】
この表は特に飽和圧力の相対差が０．５％以下の共沸冷媒に分類されたものを示している。
【００５７】
本発明の冷媒Ｆのいくつかは共沸または近共沸混合物であるという利点を有する。特に下記の混合物を挙げることができる。
2019534936.tif 000009
【００５８】
2019534936.tif 000010
【００５９】
好ましい実施形態では、組成物の総重量に対して７４〜８１．５重量％のＨＦＯ−１３２４ｙｆと、６．５〜１０．５重量％のＨＦＣ−１３４ａと、１２〜１６重量％のＨＦＣ−１５２ａとを含む（好ましく成る）冷媒流体Ｆは、４０，００〜７０，００℃の間の温度、０．５〜２１．０バール（±０．５％）の間の圧力で共沸組成物である。
【００６０】
好ましい実施形態では、組成物の総重量に対して７５．５％〜７９．５重量％のＨＦＯ−１３２４ｙｆと、６．５〜１０．５重量％のＨＦＣ−１３４ａと、１２〜１６重量％のＨＦＣ−１５２ａとを含む（好ましくは成る）冷媒Ｆは、−４０，００〜７０，００℃の間の温度、０．５〜２１、０バール（±０．５％）の間の圧力で共沸組成物である。
【００６１】
好ましい冷媒Ｆは下記の共沸組成物である。
2019534936.tif 000011
【００６２】
好ましい冷媒Ｆは下記の共沸組成物である。
2019534936.tif 000012
【００６３】
好ましい冷媒Ｆは下記の共沸組成物である。
2019534936.tif 000013
【００６４】
好ましい冷媒Ｆは下記の共沸組成物である。
2019534936.tif 000014
【００６５】
好ましい冷媒Ｆは下記の共沸組成物である。
2019534936.tif 000015
【００６６】
好ましい実施形態では、本発明の共沸組成物は組成物の総重量に対して７７．５重量％（±０．２％）のＨＦＯ−１２３４ｙｆと、１４重量％（±０．２％）重量％のＨＦＣ−１５２ａと、８．５重量％（±０．２％）のＨＦＣ−１３４ａとを含み（好ましくは成り）、この組成物は０．５〜２１．０絶対バール（±０．５％）の間の圧力で−４０，００℃〜７０．００℃の間に沸点を有する。
【００６７】
好ましい実施形態では、本発明の共沸組成物は組成物の総重量に対して７７．５重量％（±０．２％）のＨＦＯ−１２３４ｙｆと、１４重量％（±０．２％）のＨＦＣ−１５２ａと、８．５重量％（±０．２％）ＨＦＣ−１３４ａとを含み（好ましくは成り）、この組成物は７．３絶対バール（±０．５％）の圧力で２６．９７℃（±０．５０℃）の沸点を有する。
【００６８】
好ましい実施形態では、本発明の共??沸組成物は組成物の総重量に対して７７．５重量％のＨＦＯ−１２３４ｙｆと、１６重量％のＨＦＣ−１５２ａと、６．５重量％のＨＦＣ−１３４ａとを含む（好ましくは成る）。この組成物は０．５〜２１、０（絶対バール）の間の圧力、好ましくは０．６〜２０．９（絶対バール）（±０．５％）の間の圧力で−４０，００℃〜７０．００℃(±０．５％)の沸点を有する。
【００６９】
好ましい実施形態では、本発明の共??沸組成物は組成物の総重量に対して７７．５重量％のＨＦＯ−１２３４ｙｆと、１６重量％のＨＦＣ−１５２ａと、６．５重量％のＨＦＣ−１３４ａとを含む（好ましくは成る）。この組成物は７．３（絶対バール）（±０．５％）の間の圧力で２６．９７℃(±０．５％)の沸点を有する。
【００７０】
好ましい実施形態では、本発明の共??沸組成物は組成物の総重量に対して７７．５重量％（±０．２％）のＨＦＯ−１２３４ｙｆと、１５．８重量％（±０．２％）のＨＦＣ−１５２ａと、６．７重量％（±０．２％）のＨＦＣ−１３４ａとを含む（好ましくは成る）。この組成物は０．５〜２１．０（±０．５％）（絶対バール）の間の圧力、好ましくは０．６〜２０．９（絶対バール）（±０．５％）の間の圧力で−４０，００℃〜７０．００℃(±０．５％)の沸点を有する。
【００７１】
好ましい実施形態では、本発明の共??沸組成物は組成物の総重量に対して７７．５重量％（±０．２％）のＨＦＯ−１２３４ｙｆと、１５．８重量％（±０．２％）のＨＦＣ−１５２ａと、６．７重量％（±０．２％）のＨＦＣ−１３４ａとを含む（好ましくは成る）。この組成物は７．３（±０．５％）（絶対バール）の間の圧力２６．９７℃(±０．５％)の沸点を有する。
【００７２】
好ましい実施形態では、本発明の共??沸組成物は組成物の総重量に対して８１、５％重量％（±０．２％）のＨＦＯ−１２３４ｙｆと、１２重量％（±０．２％）のＨＦＣ−１５２ａと、６．５重量％（±０．２％）のＨＦＣ−１３４ａとを含む（好ましくは成る）。この組成物は０．５〜２１．０（±０．５％）（絶対バール）の間の圧力、好ましくは０．６〜２０．９（絶対バール）（±０．５％）の間の圧力で−４０，００℃〜７０．００℃(±０．５％)の沸点を有する。
【００７３】
好ましい実施形態では、本発明の共??沸組成物は組成物の総重量に対して８１、５％重量％（±０．２％）のＨＦＯ−１２３４ｙｆと、１２重量％（±０．２％）のＨＦＣ−１５２ａと、６．５重量％（±０．２％）のＨＦＣ−１３４ａとを含む（好ましくは成る）。この組成物は７．３（±０．５％）（絶対バール）の間の圧力で２６．９７℃ (±０．５0％)の沸点を有する。
【００７４】
好ましい実施形態では、本発明の共沸組成物は組成物の総重量に対して７５．５％重量％（±０．２％）のＨＦＯ−１２３４ｙｆと、１４．５重量％（±０．２％）のＨＦＣ−１５２ａと、１０重量％（±０．２％）のＨＦＣ−１３４ａとを含む（好ましくは成る）。この組成物は０．５〜２１．０（±０．５％）（絶対バール）の間の圧力、好ましくは０．７８〜２０．９８（絶対バール）（±０．５％）の間の圧力で−４０，００℃〜７０．００℃(±０．５％)の沸点を有する。
【００７５】
好ましい実施形態では、本発明の共沸組成物は組成物の総重量に対して７５．５％重量％（±０．２％）のＨＦＯ−１２３４ｙｆと、１４．５重量％（±０．２％）のＨＦＣ−１５２ａと、１０重量％（±０．２％）のＨＦＣ−１３４ａとを含む（好ましくは成る）。この組成物は７．３（±０．５％）（絶対バール）の間の圧力で２６．９７℃(±０．５％)の沸点を有する。
【００７６】
好ましい実施形態では、本発明の共沸組成物は組成物の総重量に対して７５．５％重量％（±０．２％）のＨＦＯ−１２３４ｙｆと、１２重量％（±０．２％）のＨＦＣ−１５２ａと、１０．５重量％（±０．２％）のＨＦＣ−１３４ａとを含む（好ましくは成る）。この組成物は０．５〜２１．０（±０．５％）（絶対バール）の間の圧力、好ましくは０．６１〜２１．００（絶対バール）（±０．５％）の間の圧力で−４０，００℃〜７０．００℃(±０．５％)の沸点を有する。
【００７７】
好ましい実施形態では、本発明の共沸組成物は組成物の総重量に対して７５．５％重量％（±０．２％）のＨＦＯ−１２３４ｙｆと、１２重量％（±０．２％）のＨＦＣ−１５２ａと、１０．５重量％（±０．２％）のＨＦＣ−１３４ａとを含む（好ましくは成る）。この組成物は７．３（±０．５％）（絶対バール）の間の圧力で２６．９７℃(±０．５％)の沸点を有する。
【００７８】
好ましい実施形態では、本発明の共沸組成物は組成物の総重量に対して７５．５％重量％（±０．２％）のＨＦＯ−１２３４ｙｆと、１２．２重量％（±０．２％）のＨＦＣ−１５２ａと、１０．３重量％（±０．２％）のＨＦＣ−１３４ａとを含む（好ましくは成る）。この組成物は０．５〜２１．０（±０．５％）（絶対バール）の間の圧力、好ましくは０．６１〜２１．００（絶対バール）（±０．５％）の間の圧力で−４０，００℃〜７０．００℃(±０．５％)の沸点を有する。
【００７９】
好ましい実施形態では、本発明の共沸組成物は組成物の総重量に対して７５．５％重量％（±０．２％）のＨＦＯ−１２３４ｙｆと、１２．２重量％（±０．２％）のＨＦＣ−１５２ａと、１０．３重量％（±０．２％）のＨＦＣ−１３４ａとを含む（好ましくは成る）。この組成物は７．３（±０．５％）（絶対バール）の間の圧力で２６．９７℃(±０．５％)の沸点を有する。
【００８０】
潤滑剤
本明細書では「潤滑剤」「潤滑オイル」および「潤滑油」は同じ意味を有する。
【００８１】
本発明の潤滑剤は一つまたは複数のポリオールエステルを含む。
本発明の一つの実施形態では、ポリオールエステルはカルボン酸またはカルボン酸の混合物と、少なくとも１種のポリオールとを反応させて得られる。
本発明では、特に明記しない限り、「ポリオール」という用語は少なくとも２個のヒドロキシル基（−ＯＨ）を含む化合物を意味する。
【００８２】
エステルドポリオール（Ａ）
本発明の一つの実施形態では、本発明のポリオールエステルは下記式（Ｉ）に対応する：
Ｒ1［ＯＣ（Ｏ）Ｒ2］ｎ          （Ｉ）
（ここで、
Ｒ1は直鎖または分枝鎖の炭化水素基で、必要に応じて少なくとも１個のヒドロキシル基で置換されていてもよく、および／または、−Ｏ−、−Ｎ−および−Ｓ−からなる群から選択される少なくとも１個のヘテロ原子を含んでいてもよく、
各Ｒ2は下記からなる群から互いに独立して選択され：
ｉ）  Ｈ
ｉｉ）脂肪族炭化水素基
ｉｉｉ）分枝鎖炭化水素基。
ｉｖ）  上記のｉｉ）および／またはｉｉｉ）と８〜１４個の炭素原子を有する脂肪族炭化水素との混合物、
ｎは少なくとも２の整数）
本明細書で「炭化水素基」とは炭素と水素の原子からなる基を意味する。
【００８３】
本発明の一つの実施形態では、ポリオールは下記一般式（ＩＩ）を有する：
Ｒ1（ＯＨ）ｎ                （ＩＩ）
（ここで、
Ｒ1は直鎖または分枝鎖の炭化水素基で、必要に応じて少なくとも１つのヒドロキシル、好ましくは２つのヒドロキシル基で置換されていてもよく、および／または、−Ｏ−、−Ｎ−および−Ｓ−からなる群から選択される少なくとも１個のヘテロ原子を含むことができ、
ｎは少なくとも２の整数）
【００８４】
好ましくは、Ｒ1は４〜４０個の炭素原子、好ましくは４〜２０個の炭素原子を含む直鎖または分枝鎖の炭化水素基である。
好ましくは、Ｒ1は少なくとも１個の酸素原子を含む直鎖または分枝鎖の炭化水素基である。
好ましくは、Ｒ1は２個のヒドロキシル基で置換された４〜１０個の炭素原子、好ましくは５個の炭素原子を含む直鎖または分枝鎖の炭化水素基である。
【００８５】
好ましい実施形態では、ポリオールは２〜１０個のヒドロキシル基、好ましくは２〜６個のヒドロキシル基を含む。
本発明のポリオールは一つまたは複数のオキシアルキレン基を含むことができ、この特定の場合がポリエーテルポリオールである。
【００８６】
本発明のポリオールは１つまたは複数の窒素原子を含んでいてもよい。例えば、ポリオールは３〜６つのＯＨ基を有するアルカノールアミンでもよい。好ましくは、ポリオールは少なくとも２つ、好ましくは少なくとも３つのＯＨ基を含むアルカノールアミンである。
【００８７】
本発明で好ましいポリオールはエチレングリコール、ジエチレングリコール、トリエチレングリコール、プロピレングリコール、ジプロピレングリコール、グリセロール、ネオペンチルグリコール、１，２ブタンジオール、１，４ブタンジオール、１，３ブタンジオール、ペンタエリスリトール、ジペンタエリスリトール、トリペンタエリスリトール、グリセロール、トリメチロールプロパン、ソルビトール、ヘキサグリセロールおよびこれらの混合物からなる群から選択される。
【００８８】
本発明のカルボン酸は下記の一般式（ＩＩＩ）を有することができる：
Ｒ2ＣＯＯＨ                （ＩＩＩ）
（ここで：
Ｒ2は下記の群から選択される：
ｉ）  Ｈ
ｉｉ）脂肪族炭化水素基
ｉｉｉ）分枝鎖炭化水素基。
ｉｖ）  上記のｉｉ）および／またはｉｉｉ）と８〜１４個の炭素原子を有する脂肪族炭化水素との混合物、
【００８９】
好ましくは、Ｒ2は１〜１０個の炭素原子、好ましくは１〜７個の炭素原子、特に１〜６個の炭素原子を有する脂肪族炭化水素基である。
好ましくは、Ｒ2は５〜１４個の炭素原子、好ましくは６〜８個の炭素原子、特に４〜２０個の炭素原子を有する分岐鎖の炭化水素基である。
【００９０】
好ましい実施形態では、分岐鎖の炭化水素基は下記の式（ＩＶ）を有する：
−Ｃ（Ｒ3）Ｒ4）（Ｒ5）        （ＩＶ）
（ここで、
Ｒ3、Ｒ4およびＲ5は互いに独立してアルキル基であり、アルキル基の少なくとも一つは少なくとも２個の炭素原子を含む）
このような分枝鎖アルキル基はカルボキシル基に結合したときに「ネオ基」とよばれ、対応する酸はネオ酸とよばれる。好ましくは、Ｒ3およびＲ4はメチルであり、Ｒ10は少なくとも２個の炭素原子を含むアルキル基である）
【００９１】
本発明では、基Ｒ2は一つまたは複数のカルボキシまたは−ＣＯＯＲ6のようなエステル基を含む。このＲ6はアルキル、ヒドロキシアルキルまたはヒドロキシアルキルアルキル基を表す。
好ましくは、式（ＩＩＩ）の酸Ｒ2ＣＯＯＨはモノカルボン酸である。
【００９２】
炭化水素基が脂肪族であるカルボン酸の例としてはギ酸、酢酸、プロピオン酸、酪酸、吉草酸、ヘキサン酸およびヘプタン酸が挙げられる。
炭化水素基が分岐鎖であるカルボン酸の例としては２−エチル−ｎ−酪酸、２−ヘキシルデカン酸、イソステアリン酸、２−メチルヘキサン酸、２−メチルブタン酸、３−メチルブタン酸、３，５，５−トリメチルヘキサン酸、２−エチルヘキサン酸、ネオヘプタン酸およびネオデカン酸が挙げられる。
【００９３】
式（Ｉ）のポリオールエステルの製造で使用できるカルボン酸の第三のタイプは８〜１４個の炭素原子を含む脂肪族炭化水素基を有するカルボン酸であるその例としてはデカン酸、ドデカン酸、ラウリン酸、ステアリン酸、ミリスチン酸、ベヘン酸が挙げられる。ジカルボン酸の中ではマレイン酸、コハク酸、アジピン酸、セバシン酸が挙げられる。
【００９４】
好ましい実施形態では、式（Ｉ）のポリオールのエステルを製造るために使用されカルボン酸はモノカルボン酸とジカルボン酸の混合物であり、モノカルボン酸が主である。ジカルボン酸が存在すると高粘度のポリオールエステルが形成される。
【００９５】
特に、カルボン酸とポリオールとの反応で式（Ｉ）のポリオールエステルを生成する反応は酸によって触媒される反応である。これは可逆反応で、多量の酸を使用するか、反応中に形成される水を除去することで完成できる。
【００９６】
エステル化反応は硫酸、リン酸のような有機または無機酸の存在下で行うことができまる。反応は触媒の不存在下で行うのが好ましい。
【００９７】
カルボン酸とポリオールの量は所望する結果に応じて混合物内で変えることができる。全てのヒドロキシル基がエステル化されている特殊なケースでは、十分なカルボン酸を全ての水酸基と反応させるために添加する。
【００９８】
本発明の一つの実施形態では、カルボン酸の混合物を使用する。この場合にはポリオールと順次反応させることができる。
【００９９】
好ましい実施形態では、カルボン酸の混合物を使用する場合、最初に一つのポリオールをカルボン酸、典型的にはより大きな分子量を有するカルボン酸と反応させ、続いて、脂肪族炭化水素鎖を有するカルボン酸と反応させる。
【０１００】
本発明の一つの実施形態では、エステルは、高温での酸の存在下で、反応中に形成された水を除去しながら、ポリオールとカルボン酸（又はその無水物又はエステル誘導体）とを反応させて形成することができる。典型的には、反応は７５〜２００℃の温度で行うことができる。
【０１０１】
別の実施形態では、形成されたポリオールのエステルが完全に反応していないヒドロキシル基を含む。この場合は部分エステル化ポリオールエステルである。
【０１０２】
好適な実施形態では、ポリオールエステルはペンタエリスリトールアルコールおよびカルボン酸混合物：イソノナン酸、８〜１０の炭素原子を有する脂肪族炭化水素基を有する少なくとも酸およびヘプタン酸から得られる。好ましいポリオールエステルはペンタエリトリトールと、７０％イソノナン酸、１５％の８〜１０個の炭素原子を有する脂肪族炭化水素基を有する少なくとも１つのカルボン酸および１５％のヘプタン酸の混合物とから得られる。その例としてはＣＰＩエンジニアリングサービス（株）から市販のオイル：Ｓｏｌｅｓｔ  ６８が挙げられる。
【０１０３】
ポリオールエステル（Ｂ）
別の実施形態では、本発明のポリオールエステルは、１つまたは複数の最大で８個の炭素原子を有する分枝鎖カルボン酸の少なくとも一種のエステルを含む。このエステルは上記の分枝鎖カルボン酸と１種以上のポリオールとの反応で得ることができる。
【０１０４】
分枝鎖カルボン酸は少なくとも５個の炭素原子を含むのが好ましい。特に、分枝鎖カルボン酸は５〜８個の炭素原子、好ましくは５個の炭素原子を含む。
【０１０５】
好ましくは、上記分枝鎖カルボン酸は９個の炭素原子を含まない。特に、分枝鎖カルボン酸は３，５，５−トリメチルヘキサン酸ではない。
【０１０６】
好ましい実施形態では、分岐鎖カルボン酸は２−メチルブタン酸、３−メチルブタン酸およびこれらの混合物から選択される。
【０１０７】
好ましい実施形態では、ポリオールはネオペンチルグリコール、グリセリン、トリメチロールプロパン、ペンタエリスリトール、ジペンタエリスリトール、トリペンタエリスリトールおよびこれらの混合物からなる群から選択される。
【０１０８】
好ましい実施形態では、ポリオールエステルは下記から得られる：
ｉ）２−メチルブタン、３−メチルブタン酸およびこれらの混合物から選択されるカルボン酸と、
ｉｉ）ネオペンチルグリコール、グリセリン、トリメチロールプロパン、ペンタエリスリトール、ジペンタエリスリトール、トリペンタエリスリトールおよびそれらの混合物からなる群から選択されるポリオール。
【０１０９】
好ましくは、ポリオールエステルは２−メチルブタン酸とペンタエリスリトールとから得られる。
好ましくは、ポリオールエステルは２−メチルブタン酸とジペンタエリスリトールとから得られる。
好ましくは、ポリオールエステルは３−メチルブタン酸とペンタエリスリトールとから得られる。
好ましくは、ポリオールエステルは３−メチルブタン酸とジペンタエリスリトールとから得られる。
好ましくは、ポリオールエステルは２−メチルブタン酸とネオペンチルグリコールとから得られる。
【０１１０】
ポリオールエステル（Ｃ）
別の実施形態では、本発明のポリオールエステルは下記から得られるポリ（ネオペンチルポリオール）のエステルである：
ｉ）下記式（Ｖ）を有するネオペンチルポリオール：
2019534936.tif 000016
（ここで、
各Ｒは互いに独立してＣＨ3、Ｃ2Ｈ5またはＣＨ2ＯＨを表し、
ｐは１から４の範囲の整数である）
を、酸触媒の存在下で、ヒドロキシル基とカルボキシル基のモル比を１：１にして、２〜１５個の炭素原子を有する少なくとも一種のモノカルボン酸と反応させて部分的にエステル化したポリ（ネオペンチル）ポリオール組成物を形成し、
ｉｉ）ｉ）の工程の終わりに得られる部分的にエステル化されたポリ（ネオペンチル）ポリオール組成物を２〜１５個の炭素原子を有する他のカルボン酸と反応させて最終のポリ（ネオペンチルポリオール）エステル組成物を形成する。
【０１１１】
ｉ）の反応はモル比を１：４〜１：２にして行うのが好ましい。
【０１１２】
好ましくは、ネオペンチルポリオールは下記の式（ＶＩ）を有する：
2019534936.tif 000017
（ここで、
各Ｒは互いに独立してＣＨ3、Ｃ2Ｈ5またはＣＨ2ＯＨである）
【０１１３】
好ましいネオペンチルポリオールはペンタエリスリトール、ジペンタエリスリトール、トリペンタエリスリトール、テトラエリスリトール、トリメチロールプロパン、トリメチロールエタン、ネオペンチルグリコールから選択される。特に、ネオペンチルポリオールはペンタエリトリトールである。
【０１１４】
ＰＯＥベースの潤滑油を製造するためには単一のネオペンチルポリオールを使用するのが好ましい。いくつかの場合には、２つ以上のネオペンチルポリオールが使用される。これは特に、ジペンタエリスリトール、トリペンタエリスリトールおよびテトラエリスリトールを少量含む商用製品のペンタエリトリトールの場合である。
【０１１５】
好ましい実施形態では、上記のモノカルボン酸は５〜１１の炭素原子、好ましくは６〜１０個の炭素原子を含む。
【０１１６】
モノカルボン酸は特に下記一般式（ＶＩＩ）を有する：
Ｒ'Ｃ（Ｏ）ＯＨ            （ＶＩＩ）
（ここで、
Ｒ'は直鎖または分枝鎖のＣ１−Ｃ１２アルキル基、Ｃ６−Ｃ１２アリール、Ｃ６−Ｃ３０アラルキル基である。好ましくは、Ｒ'はＣ４−Ｃ１０アルキル基、好ましくはＣ５−Ｃ９アルキル基である）
【０１１７】
モノカルボン酸は特に、ブタン酸、ペンタン酸、ヘキサン酸、ヘプタン酸、ｎ−オクタン酸、ｎ−ノナン酸、ｎ−デカン酸、３−メチルブタン酸、２−メチルブタン酸、２，４−ジメチルペンタン酸、２−エチルヘキサン酸、３，３，５−トリメチル酸、安息香酸およびこれらの混合物からなる群から選択される。
【０１１８】
好ましい実施形態では、上記モノカルボン酸はｎ−ヘプタン酸か、ｎ−ヘプタン酸と他の線形モノカルボン酸、特に、ｎ−オクタン酸および／またはｎ−デカン酸との混合物である。このモノカルボン酸の混合物は１５〜１００モル％のヘプタン酸と、８５〜０モル％のモノカルボン酸とを含むことができる。特に、この混合物は７５〜１００モル％のヘプタン酸と、２５〜０モル％のオクタン酸およびデカン酸の混合物（モル比３：２）である。
【０１１９】
好ましい実施形態では、ポリオールエステルは下記から成る：
ｉ）４５重量％〜５５重量％のモノペンタエリスリトールと、２〜１５個の炭素原子を有する少なくとも一種のモノカルボン酸のエステル、
ｉｉ）少なくとも１３重量％のジペンタエリスリトールと、２〜１５個の炭素原子を有する少なくとも一種のモノカルボン酸のエステル、
ｉｉｉ）１０重量％以下のトリペンタエリスリトールと、２〜１５個の炭素原子を有する少なくとも一種のモノカルボン酸のエステル、
ｉｖ）少なくとも２５重量％のテトラエリスリトールおよびペンタエリスリトールの他のオリゴマーと、２〜１５個の炭素原子を有する少なくとも１種のモノカルボン酸のエステル。
【０１２０】
ポリオールエステル（Ｄ）
別の実施形態では、本発明のポリオールエステルは下記の式（ＶＩＩＩ）を有する：
2019534936.tif 000018
【０１２１】
（ここで、
Ｒ7、Ｒ8、Ｒ9、Ｒ10、Ｒ11およびＲ12は互いに独立してＨまたはＣＨ3であり、
ａ、ｂ、ｃ、ｙ、ｘおよびｚは互いに独立して整数で、ａ＋ｘ、ｂ＋ｙおよびｃ＋ｚは互いに独立して１〜２０の範囲の整数であり、
Ｒ13、Ｒ14およびＲ15は互いに独立して脂肪族または分岐鎖アルキル基、アルケニル基、シクロアルキル、アリール、アルキルアリール、アリールアルキル、アルキルシクロアルキルのアルキル、シクロアルキルアルキル、アリールシクロアルキル、シクロアルキルアリール、アルキルシクロアルキルアリール、アルキルアリールシクロアルキル、アリールシクロアルキルアルキル、アリールアルキルシクロアルキル、シクロアルキルアルキルアリールおよびシクロアルキルアリールアルキルから選択され、
Ｒ13、Ｒ14およびＲ15は１〜１７個の炭素原子を有し、必要に応じて置換されていてもよい）
【０１２２】
好ましい実施形態では、Ｒ13、Ｒ14およびＲ15の各々は直鎖状または分岐鎖状のアルキル基、アルケニル基、シクロアルキル基で、これらのアルキル、アルケニルまたはシクロアルキル基はＮ、Ｏ、Ｓｉ、ＦまたはＳから選択される少なくとも１つのヘテロ原子を含んでいてもよく、好ましくは、Ｒ13、Ｒ14およびＲ15の各々は互いに独立して３〜８個の炭素原子、好ましくは５〜７個の炭素原子に有している。
【０１２３】
好ましくは、ａ＋ｘ、ｂ＋ｙおよびｃ＋ｚは互いに独立に１〜１０、好ましくは２〜８、より好ましく２〜４の範囲の整数である。
Ｒ7、Ｒ8、Ｒ9、Ｒ10、Ｒ11およびＲ12はＨであるのが好ましい。
【０１２４】
上記式（ＶＩＩＩ）のポリオールエステルは一般に国際出願ＷＯ２０１２／１７７７４２号公報の［００２７］〜［００３０］に記載の方法で製造することができる。
【０１２５】
特に、式のポリオールエステル（ＶＩＩＩ）は（国際出願ＷＯ２０１２／１７７７４２号の［００２７］に記載のように）グリセロールアルコキシレートと２〜１８個の炭素原子を有する一種または複数のモノカルボン酸とのエステル化によって得られる。
【０１２６】
好ましい実施形態では、モノカルボン酸は下記の式の１つを有する：
Ｒ13−ＣＯＯＨ
Ｒ14ＣＯＯＨ
Ｒ15ＣＯＯＨ
（ここで、Ｒ13、Ｒ14およびＲ15は上記定義のもの）
また、カルボン酸の誘導体、無水物、エステルおよびアシルハライドを使用することもできる。
【０１２７】
エステル化は一種または複数のモノカルボン酸を用いて行うことができる。好ましいモノカルボン酸としては酢酸、プロピオン酸、酪酸、イソブタン酸、ピバル酸、ペンタン酸、イソペンタン酸、ヘキサン酸、ヘプタン酸、オクタン酸、２−エチルヘキサン酸、３，３，５−トリメチル酸、ノナン酸、デカン酸、ネオデカン酸、ウンデカン酸、ドデカン酸、トリデカン酸、ミリスチン酸、ペンタデカン酸、パルミチン酸、ステアリン酸、オレイン酸、リノール酸、パルミトレイン酸、蓚酸、アビエチン酸、ウンデセン酸、ラウリン酸、ウンデシレン酸、リノレン酸、アラキジン酸、ベヘン酸、テトラヒドロ安息香酸、２−エチルヘキサン酸、フロ酸、安息香酸、４−アセチル安息香酸、ピルビン酸、４−ｔｅｒｔ−ブチル安息香酸、ナフテン酸、２−メチル安息香酸、サリチル酸、これらの異性体、メチルエステルおよび混合物を挙げることができる。
【０１２８】
好ましくは、エステル化はペンタン酸、２−メチルブタン酸、ｎ−ヘキサン酸、ｎ−ヘプタン酸、３，３、５−トリメチル、２−エチルヘキサン酸、ｎ−オクタン酸、ｎ−ノナン酸およびイソノナン酸からなる群から選択される１つのまたは複数のモノカルボン酸を用いて行われる。
【０１２９】
好ましくは、エステル化は酪酸、イソ酪酸、ｎ−吉草酸、２−メチルブタン酸、３−メチルブタン酸、ｎ−ヘキサン、ｎ−ヘプタン酸、ｎ−オクタン酸、２−エチルヘキサン酸、３，３，５−トリメチル酸、ｎ−ノナン酸、デカン酸、ウンデカン酸、ウンデセレン酸、ラウリン酸、ステアリン酸、イソステアリン酸およびこれらの混合物からなる群から選択される一つまたは複数のモノカルボン酸を用いて行われる。
【０１３０】
別の実施形態では、本発明のポリオールエステルは下記の式（ＩＸ）を有する：
2019534936.tif 000019
【０１３１】
（ここで、
Ｒ17およびＲ18の各々は互いに独立してＨまたはＣＨ3であり、
ｍおよびｎの各々は互いに独立して整数であり、ｍ＋ｎは１〜１０までの範囲の整数であり、
Ｒ16およびＲ19は互いに独立して脂肪族または分枝鎖のアルキル、アルケニル、シクロアルキル、アリール、アルキルアリール、アリールアルキル、シクロアルキルアルキル、アリールシクロアルキル、アルキルシクロアルキル、シクロアルキルアリール、アルキルシクロアルキルアリール、アルキルアリールシクロアルキル、アリールシクロアルキルアルキル、アリールアルキルシクロアルキル、シクロアルキルアルキルアリールおよびシクロアルキルアリールアルキルからなる群から選択され、
Ｒ16およびＲ19は１〜１７個の炭素原子を有し、必要に応じて置換されていてもよい）
【０１３２】
好ましい実施形態では、Ｒ16およびＲ19のそれぞれは互いに独立して直鎖または分岐鎖のアルキル基、アルケニル基、シクロアルキル基を表し、これらのアルキル、アルケニルまたはシクロアルキル基はＮ、Ｏ、Ｓｉの、ＦまたはＳから選択される少なくとも一種のヘテロ原子含むことができる。好ましくは、Ｒ16およびＲ19のそれぞれは互いに独立して３〜８個の炭素原子、好ましくは、５〜７個の炭素原子を有する。
【０１３３】
好ましい実施形態では、Ｒ17およびＲ18のそれぞれはＨであり、および／またはは、ｍ＋ｎは２〜８、４〜１０、２〜５または３〜５の整数であり、特に、ｍ＋ｎは２，３または４である。
【０１３４】
好ましい実施形態では、式（ＩＸ）のポリオールエステルはトリエチレングリコールのジエステル、テトラエチレングリコールのジエステル、特に４〜９個の炭素原子を有する一つまたは２つのモノカルボン酸とのジエステルである。
【０１３５】
上記式（ＩＸ）のポリオールエステルは、エチレングリコール、プロピレングリコールまたはオリゴ−またはポリアルキレングリコール（これはオリゴまたはポリエチレングリコール、オリゴ−またはポリプロピレングリコールまたはエチレングリコール−プロピレングリコールブロックを有するコポリマーにすることができる）と、２〜１８個の炭素原子を有する一つまたは二つのモノカルボン酸とのエステル化で製造することができる。このエステル化反応は上記一般式（ＶＩＩＩ）のポリオールエステルを製造するためのエステル化反応と同様に行うことができる。
【０１３６】
特に、式（ＩＸ）のポリオールエステルの製造では、上記式（ＶＩＩＩ）のポリオールエステルを製造で使用されるものと同じモノカルボン酸を使用することができる。
【０１３７】
本発明の一つの実施形態では、本発明のポリオールエステルをベースにした潤滑剤は、２０〜８０重量％、好ましくは３０〜７０重量％、好ましくは４０〜６０重量％の少なくとも一種の式（ＶＩＩＩ）のポリオールエステルと、８０〜２０％、好ましくは７０〜３０重量％、好ましくは６０〜４０重量％の少なくとも１つの式（ＩＸ）のポリオールエステルとを含む。
【０１３８】
一般的に、エステル化反応時にいくつかのアルコール官能基はエステル化できないが、その割合は低い。従って、ＰＥＯは−ＣＨ2−Ｏ−Ｃ（＝Ｏ）−単位に対してモル単位で０〜５％のＣＨ2ＯＨを含むことができる。
【０１３９】
本発明の好ましいＰＯＥ潤滑剤は４０℃での粘度が１〜１０００センチストークス（ｃＳｔ）、好ましくは１０〜２００ｃＳｔ、より好ましくは２０〜１００ｃＳｔ、好ましくは３０〜８０ｃＳｔのものである。
【０１４０】
オイルの国際分類はＩＳ０規格３４４８−１９９２（ＮＦ  Ｔ６０−１４１）によって与えられ、各オイルは４０℃の温度で測定した平均粘度クラスによって指定される。
【０１４１】
組成物
本発明組成物において冷媒Ｆの質量割合は組成物の１〜５％または組成物の５〜１０％または組成物の１０〜１５％または組成物の１５〜２０％または組成物の２０〜２５％または組成物の２５〜３０％または組成物の３０〜３５％または組成物の３５〜４０％または組成物の４０〜４５％または組成物の４５〜５０％または組成物の５０〜５５％または組成物の５５〜６０％または組成物の６０〜６５％または組成物の６５〜７０％または組成物の７０〜７５％または組成物の７５〜８０％または組成物の８０〜８５％または組成物の８５〜９０％または組成物の９０〜９５％または組成物の９５〜９９％または組成物の９９〜９９．５％または組成物の９９．５〜９９．９％または組成物の９９．９％以上にすることができる。媒量Ｆの含有量は上記範囲の複数の間、例えば５０〜５５％と５５〜６０％の間すなわち５０〜６０％にすることができる。
【０１４２】
好ましい実施形態では、本発明の組成物は冷媒Ｆを組成物の総重量に対して５０重量％以上、特に５０重量％〜９９重量％含む。
【０１４３】
本発明の組成物において、ポリオールエステル系潤滑油（ＰＯＥ）の重量割合は組成物の１〜５％または組成物の５〜１０％または組成物の１０〜１５％または組成物の１５〜２０％または組成物の２０〜２５％または組成物の２５〜３０％または組成物の３０〜３５％または組成物の３５〜４０％または組成物の４０〜４５％または組成物の４５〜５０％または組成物の５０〜５５％または組成物の５５〜６０％または組成物の６０〜６５％または組成物の６５〜７０％または組成物の７０〜７５％または組成物の７５〜８０％または組成物の８０〜８５％または組成物の８５〜９０％または組成物の９０〜９５％または組成物の９５〜９９％または組成物の９９〜９９．５％または組成物の９９．５〜９９．９％または組成物の９９．９％以上にすることができる。潤滑剤の含有量は上記範囲の複数の間、例えば５０〜５５％と５５〜６０％の間すなわち５０〜６０％にすることができる。
【０１４４】
本発明の一つの実施形態では、本発明の組成物は下記（１）と（２）で構成できる：
（１）  下記の群から選択される冷媒Ｆ：
ＨＦＯ−１２３４ｙｆ／ＨＦＣ−１３４ａ、
ＨＦＯ−１２３４ｚｅ／ＨＦＣ−１３４ａ、
ＨＦＯ−１２３４ｙｆ／ＨＦＣ−１３４ａ／ＨＦＣ−１５２ａ
（２）少なくとも一種のポリオールエステル（ＰＯＥ）をベースにした潤滑剤、特に、上記ポリオールエステルＡ）、Ｂ）、Ｃ）またはＤ）から選択されるポリオールエステル、特に、式（Ｉ）（ＶＩＩＩ）または（ＸＩ）のポリオールエステル
【０１４５】
本発明の一つの実施形態では、本発明の組成物は下記（１）と（２）で構成できる：
（１）  下記混合物の１つを含む冷媒Ｆ：
ＨＦＯ−１２３４ｙｆ／ＨＦＣ−１３４ａ
ＨＦＯ−１２３４ｚｅ／ＨＦＣ−１３４ａまたは
ＨＦＯ−１２３４ｙｆ／ＨＦＣ−１３４ａ／ＨＦＣ−１５２ａ
（２）少なくとも一種のポリオールエステル（ＰＯＥ）をベースにした潤滑剤、特にポリオールエステルＡ）Ｂ）、Ｃ）またはＤ）から選択されるか、特に式（Ｉ）（ＶＩＩＩ）または（ＸＩ）のポリオールエステル
【０１４６】
本発明の一つの実施形態では、本発明組成物は下記（１）と（２）から成る：
（１）ＨＦＯ−１２３４ｙｆ／ＨＦＣ−１３４Ａ／ＨＦＣ−１５２ａ混合物を含む（好ましくは成る）冷媒Ｆ、特に７５．５〜７９．５重量％のＨＦＯ−１２３４ｙｆと、１２〜１６重量％のＨＦＣ−１５２ａと、６．５〜１０．５重量％のＨＦＣ−１３４ａ、好ましくは重量７７．５重量％のＨＦＯ−１２３４ｙｆと、１４重量％のＨＦＣ−１５２ａと、８．５重量％のＨＦＣ−１３４ａとを含む冷媒Ｆと、
（２）少なくとも一種のポリオールエステル（ＰＯＥ）をベースにした潤滑剤、特にポリオールエステルＡ）Ｂ）、Ｃ）またはＤ）から選択されるか、式（Ｉ）（ＶＩＩＩ）または（ＸＩ）のポリオールエステル。
【０１４７】
本発明の組成物は（意図された用途で本質的に熱伝達化合物ではない）１つまたは複数の添加剤を含むことができる。
この添加剤はナノ粒子、安定剤、界面活性剤、トレーサー剤、蛍光剤、付香剤および可溶化剤から選択することができる。添加剤は潤滑剤ではないのが好ましい。
【０１４８】
本発明の一つの実施形態では、発明の組成物は熱伝達組成物である。
安定剤は、それが存在する場合、熱伝達組成物中の質量は最大で５％である。安定剤の中ではニトロメタン、アスコルビン酸、テレフタル酸、アゾール類、例えばトリルトリアゾールまたはベンゾトリアゾール、フェノール化合物、例えばトコフェロール、ヒドロキノン、ｔ−ブチルヒドロキノン、２，６−ジｔｅｒｔ−ブチル−４−メチルフェノール、（フッ素化または過フッ素化アルキルまたはアルケニルまたは芳香族）エポキシド、例えば、ｎ−ブチルグリシジルエーテル、ヘキサンジオールジグリシジルエーテル、アリルグリシジルエーテル、ブチルフェニルエーテル、ホスファイト、ホスホネート、チオールおよびラクトンを挙げることができる。
【０１４９】
ナノ粒子としては特にカーボンナノ粒子、金属酸化物（銅、アルミニウム）、ΤｉΟ2、Ａｌ2Ｏ3、ＭｏＳ2を使用することができる。
【０１５０】
トレーサー剤（検出可能なもの）としては、重水素化した（またはしない）ハイドロフルオロカーボン、重水素化炭化水素、パーフルオロカーボン、フルオロエーテル、臭素化化合物、ヨウ素化化合物、アルコール類、アルデヒド類、ケトン類、亜酸化窒素およびこれらの組み合わせが挙げられる。トレーサー剤は熱伝達流体（冷媒Ｆ）を含む熱伝達成分とは異なる。
【０１５１】
可溶化剤としては、炭化水素、ジメチルエーテル、ポリオキシアルキレンエーテル、アミド、ケトン、ニトリル、クロロカーボン、エステル、ラクトン、アリールエーテル、フルオロエーテル、１、１、１−トリフルオロアルカンを挙げることができる。可溶化剤は伝熱流体（冷媒Ｆ）を含む伝熱成分の化合物特許は異なる。
【０１５２】
蛍光剤としては、ナフタルイミド、ペリレン、クマリン、アントラセン、フェナントラセン、キサンテン、チオキサンテン、ナフトキサンテン、フルオレセインおよびこれらの誘導体および組合せを挙げることができる。
【０１５３】
付香剤としては、アルキルアクリレート、アリルアクリレート、アクリル酸、アクリルエステル、アルキルエーテル、アルキルエステル、アルキン、アルデヒド、チオール、チオエーテル、ジスルフィド、アリルイソチオシアネート、アルカン酸、アミン類、ノルボルネン誘導体、ノルボルネン、シクロヘキセン、芳香族複素環式化合物、アスカリドール、Ｏ−メトキシ（メチル）フェノールおよびこれらの組み合わせを挙げることができる。
【０１５４】
「熱伝達化合物」「伝熱流体」または「冷媒」とは蒸気圧縮回路中で低温低圧で蒸発することによって熱を吸収でき、高温高圧で凝縮によって熱を放出できる化合物、流体を意味する。一般的に、熱伝達流体は１種、２種、３種またはそれ以上の熱伝達化合物を含むことができる。特に、冷媒Ｆは熱伝達流体である。
【０１５５】
「熱伝達組成物」とは熱伝達流体と、意図した用途では熱伝達化合物ではない１つまたは複数の添加剤とを含む組成物を意味する。本発明の組成物は熱伝達組成物である。
【０１５６】
用途
本発明はさらに、熱伝達組成物として本発明の組成物を収容した蒸気圧縮回路（上記回路はオイルセパレータを有する）を含む熱伝達装置を利用した熱伝達方法にも関するものである。この熱伝達方法は流体または物体の加熱または冷却方法にすることができる。
【０１５７】
本発明はさらに、オイル分離器を含む蒸気圧縮システムにおける熱伝達流体としての上記組成物の使用にも関するものである。蒸気圧縮システムはスクリュー圧縮機を含むのが好ましい。
【０１５８】
本発明の一つの実施形態では、蒸気圧縮システムは下記のいずれかである：
（１）空調システム、または
（２）冷凍システム、または
（３）冷凍システム、または
（４）ヒートポンプシステム。
【０１５９】
本発明の組成物はさらに、機械的動作または電気を生成するため、特に、ランキンサイクルによって電気を生成するプロセスで使用できる。
【０１６０】
発明はさらに、熱伝達組成物として本発明組成物を収容した蒸気圧縮回路を含む熱伝達設備にも関するものである。この圧縮回路はオイルセパレータを含み、好ましくはスクリュー圧縮機を含む。
【０１６１】
本発明の一つの実施形態では、上記設備は可動式または固定式の冷凍、加熱（ヒートポンプ）、エアコン、冷凍および燃機関の中から選択される。
【０１６２】
上記設備はヒートポンプシステムにすることができる。この場合には、加熱される物品または流体（一般には空気、場合によっては１つまたは複数の製品、物体または有機物）が室内または車の車内（可動式の場合）に配置される。好ましい実施形態では、上記設備は空調システムである、この場合には、冷却される流体または物品（一般には空気、場合によっては１つまたは複数の製品、物体または有機物）は室内または車室（可動式の場合）に位置している。設備は冷凍システムまたは冷凍プラント（または極低温プラント）にすることができる。この場合には、冷却される流体または本体は一般に空気であるか、室内またはコンテナ中に配置された１つまたは複数の製品、物品または物体である。
【０１６３】
熱伝達設備は特に、ヒートポンプまたは空調システム、例えばチラー（冷却装置）である。
【０１６４】
本発明はさらに、熱伝達組成物を収容した蒸気圧縮回路によって流体または物品を加熱または冷却するための方法にも関するものである。この方法では熱伝達組成物の蒸発、熱伝達組成物の圧縮、熱伝達組成物の凝縮、熱伝達組成物の膨張を順次含む。熱伝達組成物は上記の本発明組成物であり、蒸気圧縮回路はオイルセパレータを含み、特にスクリュー圧縮機を含む。
【０１６５】
発明はさらに、熱機関を用いた発電方法にも関する。この方法は熱伝達組成物の蒸発、電気を生成するタービン内での熱伝達組成物の膨張、熱伝達組成物の凝縮、熱伝達組成物の圧縮を順次含み、熱組成物は上記組成物であり、この方法はオイル分離器を使用する。
【０１６６】
熱伝達組成物を収容した蒸気圧縮回路は、少なくとも１つの蒸発器と、圧縮機、好ましくはスクリュー圧縮機と、オイル分離器と、凝縮器と、膨張弁と、これら部材間で熱伝達組成物の輸送管路とを含む。蒸発器と凝縮器は熱伝達組成物と他の流体または物品との間で熱交換する熱交換器を備えている。
【０１６７】
本発明で使用する蒸発器は過熱蒸発器または浸水蒸発器（evaporateur noye）でもよい。過熱蒸発器では全ての熱伝達組成物が蒸発器の出口で蒸発し、蒸気相が過熱される。
【０１６８】
浸水蒸発器では、液体状態の熱伝達組成物は完全には蒸発しない。浸水蒸発器は液体相と蒸気相の分離器を含む。
【０１６９】
圧縮機としては1段または多段の遠心圧縮機またはミニ遠心圧縮機を使用することができる。ピストンを有するロータリー圧縮機またはスクリュー圧縮機を使用することもできる。
【０１７０】
本発明の一つの実施形態では、蒸気圧縮回路は遠心圧縮機、好ましくは遠心圧縮機と浸水蒸発器を含む。
【０１７１】
別の実施形態では、蒸気圧縮回路はスクリュー圧縮機、好ましくは二軸または単軸のスクリュー圧縮機を含む。特に、蒸気圧縮回路はオイルの実質的な流れ、例えば、６．３Ｌ／ｓを作ることができる二軸スクリュー圧縮機にすることができる。
【０１７２】
遠心圧縮機は熱伝達組成物を半径方向に加速させるために回転要素を使用することを特徴としており、典型的には少なくともローターと、エンクロージャ内に収容されたディフューザとを含む。熱伝達組成物はローターの中心に導入され、加速度を受けることによってローターの周囲へ流れる。従って、一つはローターによって、他方では拡散によって静圧が上昇する。速度は静圧の増加に変換される。ローター／ディフューザのセットが圧縮機の１段を構成する。遠心圧縮機は処理すべき流体の所望最終圧力と容積に応じて１〜１２段を有することができる。
【０１７３】
圧縮比は熱伝達組成物の入口に絶対圧に対する出力での絶対圧の比として定義される。
【０１７４】
大型遠心圧縮機の回転速度は３０００〜７０００回転／分である。小型遠心圧縮機（ミニ遠心圧縮機又は）は一般に４０，０００〜７０，０００回転／分の回転速度で運転され、小型のローター（一般に０．１５ｍ以下）を有している。
【０１７５】
圧縮機の効率を改善し、エネルギーコストを削減する（１段ローターと比較して）ために多段のローターを使用することができる。２段システムでは、ローターの第一段の出力で第２ローターの入力へ供給される。両方のローターを単一の軸に取り付けることができる。各段で流体の圧縮率を約４対１にすることができる。すなわち、出力の絶対圧力を入口の絶対圧力の４倍にすることができる。２段遠心圧縮機、特に自動車用２段遠心圧縮機の例は米国特許第ＵＳ５０６５９９０号明細書および米国特許第ＵＳ５３６３６７４号明細書に記載されている。
【０１７６】
遠心圧縮機は電動機またはガスタービン（例えば、自動車用途では車両の排気ガスによって駆動される）または伝動装置によって駆動できる。
【０１７７】
上記設備は電気を生成するためのタービン付き膨張機のカップリングを含むことができる（ランキンサイクル）。
【０１７８】
上記設備はさらに、熱伝達組成物と加熱または冷却される流体または物品との間で熱を伝達する（状態変化有り、または、無しで）ために使用される少なくとも１つの伝熱流体回路を含むことができる。
【０１７９】
上記設備はさらに、同一または異なる熱伝達組成物を収容した２つ（またはそれ以上）の蒸気圧縮回路を含むこともできる。これらの蒸気圧縮回路は例えば一緒に結合することができる。
【０１８０】
蒸気圧縮回路は従来の蒸気圧縮サイクルに従って動作する。このサイクルは熱伝達組成物の液相（または液体／蒸気二相）から相対的に低い圧力の気相への状態変化と、その後の相対的に高い圧力の気相への組成物の圧縮、気相の相対的に高い圧力の液相への熱伝達組成物の状態の変化（凝縮）、圧力を低下させるサイクルの繰り返しを含む。
【０１８１】
冷房モードの場合には、冷却される流体または物品からの熱（直接的または熱交換流体を介した間接的な熱）は熱伝達組成物の蒸発時に熱伝達組成物によって吸収され、環境下に比べて相対的に低い温度になる。冷却プロセスには空調）（車両のような可動設備または固定設備）、冷凍および凍結または極低温プロセスが含まれる。空調の分野では家庭用、商業用、工業用のエアコンが挙げられ、そこで使用される機器はチラーまたは直接膨張装置が含まれる。冷凍の分野では地域、商業用の冷凍、冷蔵、食品加工、冷蔵輸送（トラック、船舶）が挙げられる。
【０１８２】
加熱プロセスの場合には、熱伝達組成物の凝縮によって、熱伝達組成物の熱が（直接的または熱伝達流体を介して間接的に）環境に対して相対的に高い温度で加熱される液体または物体に伝達される。この場合は「ヒートポンプ」とよばれる。これは特に中温・高温のヒートポンプにすることができる。
【０１８３】
本発明の熱伝達組成物は任意タイプの熱交換器、特に並流熱交換器または好ましくは逆流熱交換器で使用することができる。
【０１８４】
好ましい実施形態では、本発明は、逆流熱交換器、凝縮器または蒸発器を含む冷却プロセスおよび加熱プロセスと、関連する設備とを提供する。すなわち、本発明の熱伝達組成物は逆流の熱交換器に特に有効である。蒸発器と凝縮器の両方で逆流の熱交換器を備えているのが好ましい。
【０１８５】
本発明で「逆流熱交換器」とは、熱が第１流体と第２流体との間で交換される熱交換器で、交換器の入口の第１流体の熱が熱交換器の出口の第２流体と交換され、熱交換器の出口で第１流体がる熱交換器の入口で第２流体と熱交換するものである。
【０１８６】
逆流熱交換器は例えば、第１流体の流れと第２流体の流れが反対方向であるか、ほぼ反対である装置を含む。逆流傾向で動作する交差モードの交換器は本出願の意味では逆流熱交換器の中に含まれる。
【０１８７】
本発明の組成物は、種々の運転条件（空調、冷却、ヒートポンプ、・・・）において圧縮機の出力でＨＦＯ−１２３４ｙｆおよび／またはＨＦＯ−１２３４ｚｅをよりも大きな過熱となるのが有利である（セパレータの温度と凝縮器の温度と差）
【０１８８】
「低温冷却」プロセスでは、蒸発器での熱伝達組成物の入口温度は−４５℃〜−１５℃、特に−４０℃〜−２０℃、好ましくは−３５℃〜−２５℃、例えば約−３０℃であり、凝縮器での熱伝達組成物の凝縮開始温度は２５℃〜８０℃、特に３０℃〜６０℃、より好ましくは３５℃〜５５℃、例えば約４０℃であるのが好ましい。
【０１８９】
「中温度冷却」プロセスでは、蒸発器での熱伝達組成物の入口温度は−２０℃〜１０℃°、特に−１５℃〜５℃、より好ましくは−１０℃〜０℃、例えば約−５℃であり、凝縮器での熱伝達組成物の凝縮開始温度は２５℃〜８０℃、特に３０℃〜６０℃、より好ましくは３５℃〜５５℃、例えば約５０℃であるのが好ましい。このプロセスは冷凍または空調プロセスにすることができる。
【０１９０】
「中温度加熱」プロセスでは、蒸発器での熱伝達組成物の入口温度は−２０Ｃ〜１０℃に°、特に−１５℃〜５℃に、より好ましくは−１０℃〜０℃、例えば約−５℃であり、凝縮器での熱伝達組成物の凝縮開始温度は２５℃〜８０℃、好ましく３０℃〜６０℃、より好ましくは３５℃〜５５℃、例えば約５０℃である。
【０１９１】
「高温加熱」プロセスでは、蒸発器での熱伝達組成物の入口温度は−２０〜９０℃、好ましくは１０℃〜９０℃、より好ましくは５０℃〜９０℃、例えば約８０℃であり、凝縮器での熱伝達組成物の凝縮開始温度は７０℃〜１６０℃、好ましくは９０℃〜１５０℃、より好ましくは１１０℃〜１４０℃、例えば約１３５℃である。
【０１９２】
本発明の組成物は冷蔵輸送に特に有利である。
【０１９３】
これは生鮮品を冷蔵空間中入れて移送する冷蔵輸送を意味する。食品およびや医薬品は生鮮品の重要な部分である。
【０１９４】
冷蔵輸送はトラック、鉄道、船舶や、トラック、鉄道および船に適用可能なマルチプラットフォームのコンテナを使用して行うことができる。
【０１９５】
冷蔵輸送時の冷蔵空間内の温度は−３０℃〜１６℃の間である。トラック、レールまたはマルチプラットフォームコンテナによる輸送時に充填される冷媒の量は４〜８ｋｇである。船舶設備の場合には１００〜５００ｋｇである。
【０１９６】
現在最も使用されている冷媒はＲ４０４Ａである。
【０１９７】
冷凍設備の作動温度は要求される冷凍温度と外部の気候条件との関数である。同じ冷凍結尾で−３０℃〜１６℃の広範囲をカバーすることができなければならず、寒冷地でも熱帯でも同様に動作しなければならない。
最も厳しい蒸発温度条件は−３０℃である。
【０１９８】
オイル分離器
本発明では蒸気圧縮回路がオイルセパレータを有している。
【０１９９】
本発明の一つの実施形態では、オイルセパレータは圧縮機と凝縮器との間に配置される。
【０２００】
本発明では、オイルセパレータは容器またはオイルを回収するための少なくとも一つの偏向板またはスクリーンを有する円筒管にすることができる。
【０２０１】
本発明の一つの実施形態では、オイルセパレータがフロート機構／バルブ／ポインを含む。この特定ケースでは、セパレータによって回収されたオイルはフロート機構／バルブ／ポインタを含む下が方法和部分に収容される。オイルレベルがフロート機構を上昇させるのに十分に高い場合には、バルブ／ポインタシステムが開いてオイルが圧縮機のハウジングに再導入される。このオイルの戻しはオイル分離器と圧縮機ハウジングとの間の圧力差で行なわれる。
【０２０２】
オイルセパレータは圧縮機から来る冷媒と潤滑油のガス状混合物中の冷媒から潤滑油（潤滑剤）を分離できるのが有利である。特に、オイル分離器によって冷媒を凝縮器へ送り、分離した潤滑油を圧縮機へ戻すことができるのが有利である、
【０２０３】
本発明の圧縮回路には、オイル分離器と圧縮機入口との間にオイル戻りラインを有している。
【０２０４】
特に、オイル分離器は入口弁（本発明組成物の進入を可能にする）と、セパレータ上部の出口弁（凝縮器へ向かう冷媒の一部を回復することができる）と、セパレータの下部に出口弁（圧縮機へ戻すオイルの排出を可能にする）とを有する。
【０２０５】
オイル分離器は、典型的には下記の技術の少なくとも一つによって実施できる：
（１）粗粒化（コアレセンス）：同一ではあるが２つに分散している物質を一体化させる現象。
（２）遠心分離：この技術は異なる密度の液体を分離するために遠心力を使用する。
（３）減速：この技術では最も重い分子がその慣性によってその経路を継続できるようにし、より軽い分子はオイルセパレータの内部容積中に分散できるようにする。
（４）方向転換：この技術は蒸気（軽い小分子）中に存在する油滴（重い分子）の分離効率を増大させことに関連付けられる。蒸気が分離器の出口に向けている間に、油滴はその質量および初期速度によって元の軌道を維持する。
【０２０６】
粗粒化（コアレセンス）は金属スクリーンまたは粗粒化カートリッジを用いて行うことができる。
遠心分離はタービュレータ、螺旋システムまたは特定分離構成（サイクロン）を用いて行うことができる。
【０２０７】
オイルセパレータは上記技術の複数を含むことができる。
【０２０８】
本発明の有用なオイルセパレータの中ではＣａｒｌｙのＴＵＲＢＯＩ、ＤａｎｆｏｓｓのＯＵＢ、ＥｍｅｒｓｏｎのＯＳ、Ｃａｓｔｅｌの５５２０および５５４０シリーズ、Ｔｅｍｐｒｉｔｅの分離器、ＡＣ＆Ｒの分離器、スクリュー圧縮機用のＢｉｔｚｅｒのＯＡＳを例として挙げることができる。
【０２０９】
蒸気圧縮回路はオイル冷却システムを備えることができ、必要に応じてオイルポンプおよび／またはオイルセパレータと圧縮機入口との間のオイル供給システムさらに備えることができる。
【０２１０】
オイルポンプは圧力損失を補うため、および／または、オイルを圧縮機吐出圧力よりも高い圧力に到達させるために使用することができる。オイル冷却システムは圧縮機およびオイル分離装置からのオイルを冷却するために使用できまる。
【０２１１】
可燃性
本発明の好ましい冷媒流体ＦはＪａｂｂｏｕｒ  Ｔ−２００４によって開発された測定方法での火炎伝播速度が１０ｃｍ／秒以下、好ましくは７ｃｍ／秒以下、さらには３ｃｍ／秒以下であるという利点を有する。いくつかの組成物は不燃性である。
【０２１２】
この実験は垂直ガラス管法（チューブの数２、長さ１５０ｃｍ、直径４０ｃｍ）を使用する。２つのガラス管を使用することで同じ濃度を有する２つのテストを同時に実施可能になる。ガラス管にタングステン電極を配置する。電極は各チューブの底部から６．３５ｍｍ（１／４ｉｎ）離して配置され、１５ｋＶ、３０ｍｍＡの発電機に接続される。
【０２１３】
この方法はＴ．Ｊａｂｂｏｕｒの論文「火炎の基本的な速度に基づいた冷媒の可燃性分類」デニスＣｌｏｄｉｃ編、パリ、２００４年）のテーゼで開発された。
【０２１４】
例えば、ＨＦＯ−１２３４ｙｆ／Ｒ１３４ａ／Ｒ１５２ａ（質量比７８．９／７．０／１４．１％）組成物の火炎伝播速度は４．７５ｃｍ／秒であり、ＨＦＯ−１２３４ｙｆ／Ｒ１３４ａ／Ｒ１５２ａ（質量比７４．２／７．７／１８．１％）組成物では６ｃｍ／秒である。
【０２１５】
上記の全ての実施形態は互いに組み合わせることができる。すなわち、好ましい各冷媒組成物を上記とは異なる割合で好ましいポリオールエステル（エステルＡ、Ｂ、ＣまたはＤ）の各々と組み合わせることができる。別の好ましい組成物は上記の別の用途で使用することができる。
【図面の簡単な説明】
【０２１６】
【図１】Ｒ１３４ａ／Triton ＳＥ５５オイル混合物の下記運転条件で得られた温度（℃、横軸）と圧力（バール、縦軸）のダイヤグラム。０％オイルはＲ１３４ａが１００％の場合であり、７０％オイルは３０％のＲ１３４ａを含む混合物の場合である。この図は、一定圧力下では混合物の温度Ｔｓが上昇するとオイル中の冷媒濃度が低下することを示している。
【実施例】
【０２１７】
以下、本発明の実施例を示すが、本発明がこれに限定されるものではない。
【０２１８】
ＰＯＥ  Triton ＳＥ５５オイル、サプライヤー：ＦＵＣＨＳ
オイルはスクリュー圧縮機と一体なオイルセパレータ（オイル分離器）の下部に回収される。この実施例ではオイルセパレータに閉じ込められた冷媒の量を分析する。
オイルセパレータ中の冷媒／オイル混合物は温度ＴＳ（これは圧縮機の出口における冷媒の温度でもある）を有し、オイルセパレータ内の圧力は凝縮器入口の冷媒の蒸気飽和圧力（ＰCOND）に等しい。従って、これは凝縮温度（Ｔcond）で動作するシステムになる。この温度は対応する圧力ＰCONDでの冷媒単独の飽和温度である。
一般に、典型的な冷媒／オイルのダイヤグラムの分析（［図１］には例としてＲ１３４ａの場合を示す）は、一定圧力（ＰCOND）で、混合物（オイル／冷媒）の温度（Ｔｓ）が冷媒単独（Ｔcond）での飽和温度よりも増加したときに、オイル中の冷媒の濃度が減少することを示す。ＴｓとＴcondとの差は圧縮機出口における過熱を表す。
オイルセパレータ内の温度Ｔcond、圧力ＰCONDおよび温度Ｔｓはシステムの運転ニーズに従って定義される。冷媒中のオイルの百分比は圧力ＰCONDおよび温度Ｔｓでの対応する冷媒／オイルダイヤグラムから得られる。
この方法を用いることで圧縮機出口での過熱を観察することで冷媒を間接的に比較することができる。
【０２１９】
以下の条件下で暖房（ヒートポンプ）運転される空調システムを考える。
凝縮温度Ｔcond＝７０℃、
蒸発温度：０℃
蒸発器の過熱：０℃
冷却：０℃
圧縮機効率：７５％
参照ケース：Ｒ１３４ａとＰＯＥ  Triton ＳＥ５
【０２２０】
［図１］のダイヤグラムから、セパレータ中の温度（ＴＳ）８７℃、圧力２１絶対バールでの圧縮機出口における過熱は１７℃であり、オイルの百分率は７５質量％（オイル中に２５重量％のＲ１３４ａ）である。
ＨＦＯ−１２３４ｙｆ／ＰＯＥオイルTriton ＳＥ５５混合物の場合には、上記と同じ運転条件下で、凝縮器内の圧力は約２０．５絶対バールであり、圧縮機出口での過熱は約４．８℃である。
飽和圧力のＨＦＯ−１２３４ｙｆはＲ１３４ａに極めて近いが、過熱は低い。従って、オイル分離器の液相中の冷媒の濃度は３０質量％以上、さらには３５質量％以上になる。
【０２２１】
その結果、オイル／冷媒流体の流速が同じ場合、オイルセパレータの潤滑オイル中の冷媒の比率の増加は、圧縮機中を循環する潤滑オイルの量の減少およびオイル／冷媒の粘度の低下につながる。そのため、ＨＦＯ−１２３４ｙｆを介してＲ１３４ａを直接交換すると、圧縮機を損傷し（潤滑不良と低粘度化の問題）、パフォーマンスが低下する。
【０２２２】
下記の表は、Ｒ１３４ａとＨＦＯ−１２３４ｙｆに対して、異なる混合物での上記と同じ運転条件下での凝縮温度に対する圧縮機出力での過熱値を示す。
【０２２３】
比Ａは下記の比に相当する：
2019534936.tif 000020
【０２２４】
2019534936.tif 000021
【０２２５】
2019534936.tif 000022
【０２２６】
本発明の混合物はＨＦＯ−１２３４ｙｆ単独に比べて上記定義の圧縮機の過熱が高く、ＨＦＯ１２３４ｙｆに対して５０％以上、好ましくは８０％以上高いという有利な利点がある。
【０２２７】
従って、本発明による混合物はＨＦＯ−１２３４ｙｆ単独の場合に対して潤滑油中に捕捉される冷媒の量を減少させる（および／または防止）ことができ、システム中を循環する冷媒の量を増加させ、設備の効率を有利に向上させることができる。それに加えて、本発明の混合物ではオイル分離器で回収する潤滑油の量がＨＦＯ−１２３４ｙｆよりも多くなり、圧縮機をより良く潤滑することができる。
【図１】
2019534936.tif 000026
【国際調査報告】
2019534936.tif 000027
2019534936.tif 000028
2019534936.tif 000029
2019534936.tif 000030
2019534936.tif 000031
2019534936.tif 000032